(57)【特許請求の範囲】
【請求項１】
被検眼の角膜厚さを測定する角膜厚さ測定手段と、
前記被検眼の眼圧を測定する眼圧測定手段とを備えた眼科装置において、
被検眼と装置本体との間の前後方向及び上下左右方向のアライメントずれ量を検出するアライメント検出系と、
前記前後方向、前記上下左右方向のそれぞれについて、許容される最大のアライメントずれ量としてのアライメント許容範囲を設定するアライメント許容範囲設定手段とを備え、
前記角膜厚さ測定手段による角膜厚さ測定時における前記前後方向についてのアライメント許容範囲を、前記眼圧測定手段による眼圧測定時のそれよりも小さく設定する一方、前記角膜厚さ測定手段による角膜厚さ測定時における前記上下左右方向についてのアライメント許容範囲を、前記眼圧測定手段による眼圧測定時のそれよりも大きく設定したことを特徴とする眼科装置。
【請求項２】
前記角膜厚さ測定後に、前記眼圧測定を自動的に行うことを特徴とする請求項１に記載の眼科装置。
【請求項３】
被検眼の角膜厚さを測定する角膜厚さ測定手段と、
前記被検眼の眼圧を測定する眼圧測定手段とを備えた眼科装置において、
被検眼と装置本体との間の前後方向及び上下左右方向のアライメントずれ量を検出するアライメント検出系と、
前記前後方向、前記上下左右方向のそれぞれについて、許容される最大のアライメントずれ量としてのアライメント許容範囲を設定するアライメント許容範囲設定手段とを備えるとともに、
アライメント状態を表示するための表示手段を備え、角膜厚さ測定用の上下左右方向のアライメント許容範囲に対応するアライメント補助マークと、眼圧測定用の上下左右方向のアライメント許容範囲に対応するアライメント補助マークとを備え、前記各々のアライメント補助マークが、角膜厚さ測定時と眼圧測定時とで切り替えられて表示されることを特徴とする眼科装置。
【発明の詳細な説明】
【０００１】
【発明の属する技術分野】
本発明は、被検眼の角膜厚さ及び眼圧を非接触で測定する眼科装置に関する。
【０００２】
【従来の技術】
従来から、被検眼の角膜厚さを測定する角膜厚さ測定装置と、被検眼の眼圧を測定する眼圧測定装置とが知られている。この種の眼科装置では、装置本体に対するＺ軸方向（前後方向）のＺアライメント、Ｚ軸方向と直交する平面内（上下左右方向）でのＸＹアライメントを許容範囲に設定して、角膜厚さ、眼圧を測定している。
【０００３】
【発明が解決しようとする課題】
しかしながら、角膜厚さ測定の場合には、Ｚ軸方向（前後方向）のアライメントが高精度に要求され、眼圧測定の場合には、Ｚ軸方向に直交するＸＹ平面内（上下左右方向）でのアライメントが高精度に要求されるので、角膜厚さ測定と眼圧測定との両方の測定を行うことができる眼科装置の場合には、Ｚ方向のアライメント精度、ＸＹ方向のアライメント精度をともに高精度に設計しなければならない。
【０００４】
ＸＹ方向のアライメント精度、Ｚ方向のアライメント精度の双方を高精度に設定することになると、角膜厚さ測定、眼圧測定のいずれの場合にもＸＹ方向のアライメント精度、Ｚ方向のアライメント精度が厳しい条件のもとで測定を行わなければならないことになり、測定を迅速に行うことができないという不都合がある。
【０００５】
本発明は上記の事情に鑑みて為されたもので、角膜厚さ測定と眼圧測定との両方を行うことができる眼科装置において、測定精度を損なわずに、簡便にかつ迅速に角膜厚さ測定と眼圧測定とを行うことができる眼科装置を提供することを課題とする。
【０００６】
【課題を解決するための手段】
上記の課題を解決するために、本発明の請求項１に記載の眼科装置は、被検眼の角膜厚さを測定する角膜厚さ測定手段と、被検眼の眼圧を測定する眼圧測定手段とを備えた眼科装置において、被検眼と装置本体との間の前後方向及び上下左右方向のアライメントずれ量を検出するアライメント検出系と、前後方向、上下左右方向のそれぞれについて、許容される最大のアライメントずれ量としてのアライメント許容範囲を設定するアライメント許容範囲設定手段とを備え、角膜厚さ測定手段による角膜厚さ測定時における前後方向についてのアライメント許容範囲を、眼圧測定手段による眼圧測定時のそれよりも小さく設定する一方、角膜厚さ測定手段による角膜厚さ測定時における上下左右方向についてのアライメント許容範囲を、眼圧測定手段による眼圧測定時のそれよりも大きく設定したことを特徴とする。
【０００７】
請求項１に記載の発明によれば、アライメント許容範囲設定手段が、角膜厚さ測定時と眼圧測定時とでそれぞれに適したアライメント許容範囲を設定するので、測定精度を損なわずに、簡便かつ高精度に角膜厚さ測定と眼圧測定とを行うことができる。
【０００８】
請求項２に記載の眼科装置は、請求項１に記載の眼科装置において、角膜厚さ測定後に、眼圧測定を自動的に行うことを特徴とする。
【０００９】
請求項２に記載の発明によれば、角膜厚さ測定と眼圧測定とを連続して自動的に行うことができる。
【００１０】
また、角膜厚さ測定の後に眼圧測定を行うので、被検者が眼圧測定において吹き付けられる気流に驚いたり、不快感を感じたりしても、既に角膜厚さ測定結果が得られているので問題はない。
【００１１】
請求項３に記載の眼科装置は、被検眼の角膜厚さを測定する角膜厚さ測定手段と、被検眼の眼圧を測定する眼圧測定手段とを備えた眼科装置において、被検眼と装置本体との間の前後方向及び上下左右方向のアライメントずれ量を検出するアライメント検出系と、前後方向、上下左右方向のそれぞれについて、許容される最大のアライメントずれ量としてのアライメント許容範囲を設定するアライメント許容範囲設定手段とを備えるとともに、アライメント状態を表示するための表示手段を備え、角膜厚さ測定用の上下左右方向のアライメント許容範囲に対応するアライメント補助マークと、眼圧測定用の上下左右方向のアライメント許容範囲に対応するアライメント補助マークとを備え、各々のアライメント補助マークが、角膜厚さ測定時と眼圧測定時とで切り替えられて表示されることを特徴とする。
【００１２】
請求項３に記載の発明によれば、角膜厚さ測定用の上下左右方向のアライメント許容範囲に対応したアライメント補助マークと、眼圧測定用の上下左右方向のアライメント許容範囲に対応したアライメント補助マークとが切り替えられて表示されるので、マニュアル操作での角膜厚さ測定及び眼圧測定においても高精度なアライメント調整が可能となる。
【００１３】
【発明の実施の形態】
以下、この発明に係る眼科装置の実施の形態を図面に基づいて説明する。
【００１４】
図１は、本発明に係る眼科装置の全体構成を示す側面図で、１００は電源が内蔵されたベースである。ベース１００の上部には架台１０１がコントロールレバー１０２の操作により前後左右移動可能に設けられている。コントロールレバー１０２には手動スイッチ１０３が設けられ、この手動スイッチ１０３はアライメントを手動で行う手動モードのときに用いられる。架台１０１の上部にはモータ１０４と支柱１０５とが設けられている。モータ１０４と支柱１０５とは図示を略すピニオン・ラックにより結合され、支柱１０５はモータ１０４によって上下方向（Ｙ方向）に移動する。支柱１０５の上端にはテーブル１０６が設けられている。
【００１５】
テーブル１０６には支柱１０７、モータ１０８が設けられている。支柱１０７の上端にはテーブル１０９が摺動可能に設けられている。テーブル１０９の後端には、図２に示すようにラック１１０が設けられている。モータ１０８の出力軸にはピニオン１１１が設けられ、ピニオン１１１はラック１１０に噛み合わされている。
【００１６】
また、テーブル１０９の上部にはモータ１１２と支柱１１３とが設けられている。モータ１１２の出力軸にはピニオン１１４が設けられている。支柱１１３の上部には装置本体１１５が摺動可能に設けられている。装置本体１１５の側部にはラック１１６が設けられている。ラック１１６はピニオン１１４と噛み合わされている。
【００１７】
装置本体１１５の内部には、後述する光学系と後述する制御回路とが収納され、モータ１０４,１０８,１１２は、後述する制御回路から出力される制御信号によって制御される。装置本体１１５は、モータ１０４への制御信号によりＹ方向に駆動され、モータ１０８への制御信号により左右方向（Ｘ方向）に駆動され、モータ１１２への制御信号により前後方向（Ｚ方向）に駆動される。
【００１８】
装置本体１１５は、図３及び図４に示すように、被検眼Ｅの前眼部を観察するための前眼部観察系１０、ＸＹ方向のアライメント検出及び角膜変形検出のための視標光を被検眼角膜（以下、単に角膜と省略）Ｃに正面から投影するＸＹアライメント視標投影光学系２０、被検眼Ｅに固視標を投影する固視標投影光学系３０、ＸＹアライメント視標光の角膜Ｃによる反射光を受光して装置本体１１５と角膜ＣのＸＹ方向の位置関係を検出するアライメント検出系の一部としてのＸＹアライメント検出光学系４０、ＸＹアライメント視標光の角膜Ｃによる反射光を受光し角膜Ｃの変形量を検出する眼圧測定手段の一部としての角膜変形検出光学系５０、角膜Ｃに斜めから幅の狭いスリット光束を投影するスリット投影光学系６０、スリット光束より幅の広い視標光束を角膜Ｃに斜めから投影する視標投影光学系９０、視標光束やスリット光束の角膜Ｃによる反射光を前眼部観察光学系１０の光軸に対して対称な方向から受光する角膜厚さ測定手段の一部としての受光光学系７０を備えている。
【００１９】
前眼部観察光学系１０は、被検眼Ｅの左右に位置して前眼部をダイレクトに照明する複数個の前眼部照明光源１１、気流吹付ノズル１２、前眼部窓ガラス１３、チャンバー窓ガラス１４、対物レンズ１６、ＣＣＤカメラ１９を備え、Ｏ１はその光軸である。ＣＣＤカメラ１９には、さらに表示手段としてのモニタ装置１９ａが接続されている。
【００２０】
前眼部照明光源１１によって照明された被検眼Ｅの前眼部像は、ノズル１２の内外を通り、前眼部窓ガラス１３、チャンバー窓ガラス１４、後述するハーフミラー１５を透過し、対物レンズ１６により集束されつつ後述するハーフミラー１７、１８を透過してＣＣＤカメラ１９上に形成される。また、ノズル１２からは、気流吹き付け手段１２ａによってエアパフが被検眼Ｅに向けて吹き出すようになっている。このノズル１２と気流吹き付け手段１２ａと角膜変形検出光学系５０とから眼圧測定手段が大略構成される。
【００２１】
ＸＹアライメント視標投影光学系２０は、赤外光を出射するＸＹアライメント用光源２１、集光レンズ２２、開口絞り２３、ピンホール板２４、ダイクロイックミラー２５、ピンホール板２４に焦点を一致させるように光路上に配置された投影レンズ２６、ハーフミラー１５を有し、光学系の一部を前眼部観察光学系１０と共用している。
【００２２】
ＸＹアライメント用光源２１から出射された赤外光は、集光レンズ２２により集束されつつ開口絞り２３を通過し、ピンホール板２４に導かれる。そして、ピンホール板２４を通過した光束は、ダイクロイックミラー２５で反射され、投影レンズ２６によって平行光束となってハーフミラー１５で反射された後に、チャンバー窓ガラス１４を透過して気流吹付ノズル１２の内部を通過し、図５に示すようにＸＹアライメント視標光Ｋを形成する。図５においてＸＹアライメント視標光Ｋは、角膜Ｃの頂点Ｐと角膜Ｃの曲率中心との中間位置に輝点像Ｒを形成するようにして角膜表面Ｔで反射される。なお、開口絞り２３は投影レンズ２６に関して角膜頂点Ｐと共役な位置に設けられている。
【００２３】
固視標光学系３０は、可視光を出射する固視標用光源３１、ピンホール板３２、投影レンズ２６、ハーフミラー１５を有し、光学系の一部をＸＹアライメント視標投影光学系２０及び前眼部観察光学系１０と共用している。
【００２４】
固視標用光源３１から出射された固視標光は、ピンホール板３２、ダイクロイックミラー２５を経た後に投影レンズ２６により平行光とされ、ハーフミラー１５で反射された後にチャンバー窓ガラス１４を透過し、気流吹付ノズル１２の内部を通過して被検眼Ｅに導かれる。被検者がその固視標を固視目標として注視することにより視線が固定される。
【００２５】
ＸＹアライメント検出光学系４０は、ハーフミラー１８、センサ４１、ＸＹアライメント検出回路４２（アライメント検出系の一部）を有し、光学系の一部を前眼部観察光学系１０と共用している。
【００２６】
ＸＹアライメント視標投影光学系２０により角膜Ｃに投影され、角膜表面Ｔで反射された反射光束は、ノズル１２の内部を通りチャンバー窓ガラス１４、ハーフミラー１５を透過し、対物レンズ１６により集束されつつハーフミラー１７でその一部が透過し、ハーフミラー１８でその一部が反射される。ハーフミラー１８で反射された光束は、センサ４１上に輝点像Ｒ’1を形成する。センサ４１はいわゆるＰＳＤ等の位置検出可能な受光センサである。ＸＹアライメント検出回路４２は、センサ４１の出力を基にして、装置本体１１５と角膜Ｃとの間のＸＹ方向についてのアライメントずれ量ΔＸＹを公知の手段によって演算し、その演算結果を角膜厚さ測定回路７４及び制御手段としての制御回路８０に出力する。
【００２７】
一方、ハーフミラー１８を透過した角膜Ｃによる反射光束は、ＣＣＤカメラ１９上に輝点像Ｒ’２を形成する。ＣＣＤカメラ１９は表示手段としてのモニタ装置１９ａに画像信号を出力し、図６に示すように、モニタ装置１９ａの画面Ｇには被検眼Ｅの前眼部像Ｅ’、ＸＹアライメント視標光の輝点像Ｒ’２が表示される。図６においては、被検眼Ｅの瞳孔中心に対して装置本体１１５の光軸がＸＹ方向にずれているので、ＸＹアライメント視標光の輝点像Ｒ’２は被検眼Ｅの前眼部像Ｅ’の中心からずれている。なお、Ｈは図示しない画像生成手段によって生成された粗調用マークである。
【００２８】
この眼科装置では、角膜厚さ測定時に必要とされるＸＹアライメント精度よりも、眼圧測定時に必要とされるＸＹアライメント精度の方が厳しいので、角膜厚さ測定用アライメント許容範囲のＸＹアライメント許容範囲Ｈ１よりも眼圧測定用アライメント許容範囲のＸＹアライメント許容範囲Ｈ２の方が狭く設定されている。
【００２９】
制御回路８０と電気的に接続されたアライメント許容範囲設定手段８０ａによって、角膜厚さ測定時と眼圧測定時とでＨ１とＨ２とに切り替えて設定されるが、実際にはモニタ装置１９ａの画面Ｇには表示されない。
【００３０】
ハーフミラー１７によって反射された一部の光束は、角膜変形検出光学系５０に導かれ、ピンホール板５１を通過してセンサ５２に導かれる。センサ５２はフォトダイオード等の光量検出の可能な受光センサである。
【００３１】
スリット投影光学系６０は、赤外光を出射する角膜厚さ測定用のスリット光源６１、集光レンズ６２、スリット６３、矩形開口絞り６４、ハーフミラー９５、開口絞り６４に焦点を一致させるように光路上に配置された投影レンズ６５を有する。Ｏ2はスリット投影光学系６０の光軸である。
【００３２】
スリット光源６１を出射した赤外光は、集光レンズ６２により集光されてスリット６３に導かれる。スリット６３を通過したスリット光束Ｌは開口絞り６４、ハーフミラー９５を通過し、投影レンズ６５によって角膜Ｃに投影される。
【００３３】
角膜Ｃに投影されたスリット光束Ｌの一部は、図７に示すように、空気と角膜Ｃの境界面である角膜表面Ｔで反射され、角膜表面Ｔを通過した光束の一部は角膜裏面Ｎで反射される。角膜表面Ｔの反射光束Ｌaの光量は角膜裏面Ｎからの反射光束Ｌbの光量よりも１００倍程度多い。なお、スリット６３は投影レンズ６５に関して角膜裏面Ｎと共役な位置に設けられている。
【００３４】
受光光学系７０は、結像レンズ７１、ラインセンサ７２を有する。Ｏ3は受光光学系７０の光軸である。
【００３５】
スリット光学系６０のスリット光束Ｌにより角膜表面Ｔ及び角膜裏面Ｎで反射された反射光束Ｌａ、Ｌｂは結像レンズ７１によって集束され、図８（Ｂ）に示すように、ラインセンサ７２上には光像６３ａと光像６３ｂとを有するスリット像６３Ａが形成される。このスリット像６３Ａの光量分布を図８（Ａ）に示す。図８（Ａ）において、符号Ｕは角膜Ｃの表面Ｔにおいて反射された反射光束Ｌａによるピークであり、符号Ｖは角膜Ｃの裏面Ｎにおいて反射された反射光束Ｌｂによるピークである。そのピークＵは光像６３ａに対応し、ピークＶは光像６３ｂに対応する。
【００３６】
ラインセンサ７２の各番地の出力は、図３に示すようにＺアライメント検出回路７３（アライメント検出系の一部）へ入力される。
【００３７】
この眼科装置では、制御回路８０と電気的に接続されたアライメント許容範囲設定手段８０ａによって、角膜厚さ測定時と眼圧測定時とでＺアライメント許容範囲Δｄ１とＺアライメント許容範囲Δｄ２とに切り替えて設定される。
【００３８】
視標投影光学系９０は、赤外光を出射するＺアライメント光源９１、集光レンズ９２、開口絞り９３、ピンホール板９４、ハーフミラー９５を有し、投影レンズ６５をスリット投影光学系６０と共用している。ピンホール板９４は、投影レンズ６５の焦点に一致するように配置されている。視標投影光学系９０は、スリット投影光学系６０より太い幅を有する視標光束Ｗ（図１０参照）を角膜Ｃへ投影する。
【００３９】
Ｚアライメント光源９１を出射した赤外光は、集光レンズ９２により集光されて開口絞り９３に達し、この開口絞り９３を通過してピンホール板９４に導かれる。ピンホール板９４を通過した視標光束Ｗは、ハーフミラー９５で反射して投影レンズ６５によって角膜Ｃに導かれ、図１０に示すように、角膜表面Ｔにおいて反射されて輝点像Ｑを形成する。なお、開口絞り９３は投影レンズ６５に関して角膜頂点Ｐと共役な位置に設けられている。
【００４０】
視標投影光学系９０によって投影された視標光束Ｗの角膜表面Ｔにおける視標反射光束Ｗ’は、結像レンズ７１によって集束されてラインセンサ７２上に輝点像Ｑ’を形成する。
【００４１】
視標投影光学系９０によって角膜Ｃへ投影される視標光束Ｗの幅は、スリット投影光学系６０によるスリット光束Ｌの幅より大きく設定されている。そして、図１１に示すように角膜Ｃに投影された視標光束Ｗは、角膜表面Ｔ及び角膜裏面Ｎで反射し、その反射視標光束Ｗａ及びＷｂは結像レンズ７１によって集束され、ラインセンサ７２上に開口絞り９３の開口像として形成される。
【００４２】
この開口像の光量分布を図１２に示す。図１２において、符号Ｆで示すピークは反射光束Ｗaの中心位置における光量を示す。反射光束Ｗｂの光量は反射光束Ｗａの光量よりもはるかに小さいので、反射光束Ｗｂによるピークは、光量分布上にはほとんど表れない。
【００４３】
それにより、ピークＦの位置情報（番地情報）から装置本体１１５のＺ方向の位置を求めることができる。装置本体１１５が角膜Ｃに近づきすぎている場合には、図中一点鎖線で示す光量分布となり、装置本体１１５が角膜Ｃから離れすぎている場合には図中二点鎖線で示す光量分布となる。
【００４４】
また、この眼科装置では、角膜厚さ測定時に必要とされるＺアライメント精度の方が、眼圧測定時に必要とされるＺアライメント精度よりも厳しいので、角膜厚さ測定用アライメント許容範囲のＺアライメント許容範囲Δｄ１の方が眼圧測定用アライメント許容範囲のＺアライメント許容範囲Δｄ２よりも狭く設定されている。
【００４５】
さらに、視標光束Ｗの幅が広いことにより反射光束Ｗaの幅が広くなっているので、装置本体１１５のＺ方向のアライメントが大きくずれていても、ラインセンサ７２は反射光束Ｗaを受光することになる。
【００４６】
Ｚアライメント検出回路７３は、図８（Ａ）に示すピークＵ、Ｖや図１２に示すピークＦの位置情報（番地情報）を求めて制御回路８０や角膜厚さ測定回路７４へ出力する。角膜厚さ測定回路７４はピークＵ、Ｖの位置情報に基づいて角膜Ｃの厚さを公知の手段によって演算する。また、制御回路８０は、ピークＵ、Ｆの位置情報に基づきモータ１１２を制御して、装置本体１１５をＺ方向に移動させてＺ方向のアライメントを行う。
【００４７】
次に、上記実施の形態の眼科装置の動作について説明する。本実施の形態に係る眼科装置は、まず角膜厚さ測定を自動的に行い、続いて眼圧測定を自動的に行うものとなっている。
【００４８】
まず、固視標光学系３０の固視標用光源３１が点灯されて被検眼の固視が行われるとともに、視標投影光学系９０のＺアライメント光源９１が点灯される。そして、検者は前眼部観察系１０によって被検者の前眼部像Ｅ’を表示手段としてのモニタ装置１９ａの画面Ｇで観察しながら大まかなアライメントを行う。このとき、ＸＹアライメント検出光学系４０のセンサ４１の出力（ＸＹアライメント位置情報）と、アライメント検出系の一部としての機能をも有する受光光学系７０のラインセンサ７２の出力（Ｚアライメント位置情報）とに基づいて、ＸＹアライメント検出回路４２とＺアライメント検出回路７３とが、被検眼角膜Ｃに対する装置本体１１５の位置（アライメント位置）を算出し、算出された位置をモニタ装置１９ａの画面Ｇ上に表示して検者に知らせる。なお、このとき、スリット投影光学系６０の光源６１は消灯されている。
【００４９】
ところで、装置本体１１５のＺ方向の粗調はＺアライメント検出回路７３が出力する図１２に示すピークＦの位置情報に基づいて行うが、反射光束Ｗａの幅が広いので、Ｚ方向のアライメントが大きくずれていてもラインセンサ７２は反射光束Ｗａを受光することができる。それにより、装置本体１１５のＺ方向の位置、すなわち位置ずれの方向が分かり、画面Ｇに装置本体１１５のＺ方向の移動方向や位置を表示することができて、装置本体１１５を適正な方向へ速やかに移動させることができる。
【００５０】
検者は、画面Ｇの表示に基づいて架台１０１を少し移動させると、制御回路８０が各モータ１０４、１０８、１１２を駆動制御して装置本体１１５をアライメントが完了する方向へ移動させていく。
【００５１】
制御回路８０の各モータ１０４、１０８、１１２の駆動制御により被検眼角膜Ｃに対する装置本体１１５の概略アライメント調整が行われると、図６に示すモニタ装置１９ａの画面Ｇ上における輝点像Ｒ’２が粗調用マークＨ内に入る。さらに、輝点像Ｒ’２が粗調用マークＨ内の、図中一点鎖線で示す角膜厚さ測定用アライメント許容範囲のＸＹアライメント許容範囲Ｈ１に対応する範囲Ｈ１’内に移動し、かつ図１２に示すピークＦがラインセンサ７２の基準位置７２ａの近傍に位置したとき、視標投影光学系９０のＺアライメント光源９１が消灯されるとともに、スリット投影光学系６０の光源６１が点灯される。
【００５２】
Ｚアライメント光源９１の消灯の直前では、図１２に示すピークＦがラインセンサ７２の基準位置７２ａの近傍に位置したときのラインセンサ７２の出力に基づいて、Ｚアライメント検出回路７３が装置本体１１５のＺ方向の位置を演算し、この演算した位置に基づいて制御回路８０がモータ１１２を制御して装置本体１１５をＺ方向へ移動させる。
【００５３】
スリット投影光学系６０の光源６１が点灯されると、ラインセンサ７２上には、図８（Ｂ）に示すように、スリット像６３Ａが形成され、このスリット像６３Ａの光量分布に基づいてＺ方向のアライメント調整が行われる。すなわち、図８（Ａ）に示すピークＵがラインセンサ７２の基準位置７２ａに一致する方向に装置本体１１５が移動されていく。そして、ラインセンサ７２におけるピークＵの検出位置と基準位置７２ａとのずれが、角膜厚さ測定用アライメント許容範囲のＺアライメント許容範囲Δｄ１に対応する範囲Δｄ１’以内となったとき（図９の一点鎖線）、すなわち、Ｚ方向のアライメントが完了したとき、ラインセンサ７２の出力に基づいてＺアライメント検出回路７３が出力するピークＵ、Ｖの位置情報により角膜厚さ測定回路７４が角膜Ｃの厚さを演算し、角膜厚さ測定が行われる。
【００５４】
角膜厚さ測定が完了したら、引き続いて眼圧測定を開始する。眼圧測定を開始するとともに、アライメント許容範囲設定手段８０ａはアライメント許容範囲を角膜測定用アライメント許容範囲（Ｈ１、Δｄ１）から眼圧測定用アライメント許容範囲（Ｈ２、Δｄ２）に切り替えて設定する。
【００５５】
制御回路８０が、ＸＹアライメント検出回路４２の位置情報（ＸＹアライメント検出回路４２から出力される位置検出信号に基づく位置情報）を確認し、再度各モータ１０４、１０８の駆動制御を行い、装置本体１１５のアライメント調整を行う。アライメント調整が行われると、図６に示すモニタ装置１９ａの画面Ｇ上における輝点像Ｒ’２が、粗調用マークＨ内の、図中破線で示す眼圧測定用アライメント許容範囲のＸＹアライメント許容範囲Ｈ２に対応する範囲Ｈ２’内に入る。
【００５６】
次に図８（Ａ）に示すラインセンサ７２におけるピークＵの検出位置と基準位置７２ａとのずれが、眼圧測定用アライメント許容範囲のＺアライメント許容範囲Δｄ２に対応する範囲Δｄ２’以内にあるかを確認し、Δｄ２’以内でなければ制御回路８０はモータ１１２を制御して装置本体をＺ方向に移動させ、そのずれがΔｄ２’以内となるようにする（図９の二点鎖線）。
【００５７】
これで、ＸＹＺ方向のアライメントが完了し、ノズル１２から気流吹き付け手段１２ａによりエアパフが吹き付けられ、角膜Ｃが圧平される。このときの角膜Ｃの変形量が角膜変形検出光学系５０によって検出され、眼圧測定が行われる。なおエアパフの圧力は気流吹き付け手段１２ａに設けられた圧力センサ（図示せず）によって検出される。
【００５８】
次に本装置にて角膜厚さ測定又は眼圧測定のみをマニュアル操作にて行う場合について説明する。
【００５９】
図示しないモード切替えスイッチを押すことにより、制御回路８０は角膜厚さ測定又は眼圧測定のみをマニュアル測定するように装置を制御する。角膜厚さ測定のみを行う場合は、図１３（Ａ）に示すように、角膜厚さ測定用アライメント許容範囲のＸＹアライメント許容範囲Ｈ１に対応したアライメント補助マークＭ１がモニタ装置１９ａの画面Ｇに表示される。
【００６０】
検者は、手動操作で架台を動かし、輝点像Ｒ’２がＭ１内に入るよう装置のアライメントを行う。輝点像Ｒ’２がＭ１に入り、かつ図８に示すラインセンサ７２におけるピークＵの検出位置と基準位置７２ａとのずれが、角膜厚さ測定用アライメント許容範囲のＺアライメント許容範囲Δｄ１に対応する範囲Δｄ１’以内となったとき、角膜厚さ測定回路７４が角膜Ｃの厚さを演算し、角膜厚さ測定が行われる。
【００６１】
眼圧測定のみを行う場合は、図１３（Ｂ）に示すように、眼圧測定用アライメント許容範囲のＸＹアライメント許容範囲Ｈ２に対応したアライメント補助マークＭ２が、モニタ装置１９ａの画面Ｇに表示される。
【００６２】
検者は、手動操作で架台を動かし、輝点像Ｒ'２がＭ２内に入るよう装置のアライメントを行う。輝点像Ｒ'２がＭ２に入り、かつ図８に示すラインセンサ７２におけるピークＵの検出位置と基準位置７２ａとのずれが、眼圧測定用アライメント許容範囲のＺアライメント許容範囲Δｄ２に対応する範囲Δｄ２’以内となったとき、ノズル１２から気流吹き付け手段１２ａによりエアパフを吹き付けて角膜Ｃを圧平させ、眼圧測定が行われる。
【００６３】
【発明の効果】
本発明によれば、角膜厚さ測定と眼圧測定との両方を行うことができる眼科装置が、角膜厚さ測定用アライメント許容範囲と、眼圧測定用アライメント許容範囲とを有しているので、測定精度を損なわずに、簡便かつ高精度に角膜厚さ測定と眼圧測定とを行うことができる。
【図面の簡単な説明】
【図１】  本発明の実施の形態に係る眼科装置の全体構成を示す側面図である。
【図２】  本発明の実施の形態に係る眼科装置の概略構成を示す平面図である。
【図３】  本発明の実施の形態に係る眼科装置の光学系の要部構成を示す平面図である。
【図４】  本発明の実施の形態に係る眼科装置の光学系の要部構成を示す側面図である。
【図５】  角膜に正面から照射されたＸＹアライメント視標光束の反射を説明する図である。
【図６】  モニタ装置の画面に表示された前眼部像に、粗調用マークとＸＹアライメント視標光の輝点像Ｒ’２が表示されている様子を示し、被検眼の瞳孔中心と装置本体の光軸とがずれている状態を示す図である。
【図７】  角膜に斜め方向から投影されたスリット光束が角膜表面及び裏面で反射する様子を示す図である。
【図８】  角膜に斜め方向から投影されたスリット光束の角膜表面及び裏面での反射光をラインセンサで受光したときの様子を示す図であり、（Ａ）はラインセンサ上の光量分布を示す図であり、（Ｂ）はラインセンサ上に結像されるスリット像を示す図である。
【図９】  角膜厚さ測定において、ラインセンサにおけるピークＵの検出位置と基準位置７２ａとのずれ量が角膜厚さ測定でのＺアライメント許容範囲Δｄ１に対応する範囲Δｄ１’以内である様子を一点鎖線で示し、眼圧測定において、ラインセンサにおけるピークＵの検出位置と基準位置７２ａとのずれ量が眼圧測定でのＺアライメント許容範囲Δｄ２に対応する範囲Δｄ２’以内である様子を二点鎖線で示す図である。
【図１０】  角膜に斜め方向から投影された視標光束の反射を説明する模式図である。
【図１１】  角膜に斜め方向から投影された視標光束が、角膜表面及び裏面で反射する様子を示す図である。
【図１２】  角膜に斜め方向から投影された視標光束の反射光をラインセンサで受光したときのラインセンサ上の光量分布を示す図である。
【図１３】  マニュアル測定においてモニタ画面にアライメント補助マークが表示された例を示す図であり、（Ａ）は角膜厚さ測定時に、角膜厚さ測定用アライメント許容範囲のＸＹアライメント許容範囲に対応したアライメント補助マークＭ１がモニタ画面に表示された様子を示し、（Ｂ）は眼圧測定時に、眼圧測定用アライメント許容範囲のＸＹアライメント許容範囲に対応したアライメント補助マークＭ２がモニタ画面に表示された様子を示す。
【符号の説明】
Ｃ…被検眼角膜
Δｄ１’…角膜厚さ測定用アライメント許容範囲のＺアライメント許容範囲に対応するラインセンサ上での範囲
Δｄ２’…眼圧測定用アライメント許容範囲のＺアライメント許容範囲に対応するラインセンサ上での範囲
Ｅ…被検眼
Ｅ’…前眼部像
Ｈ…粗調用マーク
Ｈ１’…角膜厚さ測定用アライメント許容範囲のＸＹアライメント許容範囲に対応する範囲
Ｈ２’…眼圧測定用アライメント許容範囲のＸＹアライメント許容範囲に対応する範囲
Ｍ１…角膜厚さ測定用アライメント許容範囲のＸＹアライメント許容範囲に対応したアライメント補助マーク
Ｍ２…眼圧測定用アライメント許容範囲のＸＹアライメント許容範囲に対応したアライメント補助マーク
１０…前眼部観察系
１２…気流吹付ノズル
１９ａ…モニタ装置（表示手段）
２０…ＸＹアライメント視標投影光学系
３０…固視標投影光学系
４０…ＸＹアライメント検出光学系（アライメント検出系の一部）
４２…ＸＹアライメント検出回路（アライメント検出系の一部）
５０…角膜変形検出光学系（眼圧測定手段の一部）
６０…スリット投影光学系
７０…受光光学系（角膜厚さ測定手段の一部、アライメント検出系の一部）
７２…ラインセンサ
７２ａ…基準位置
７３…Ｚアライメント検出回路（アライメント検出系の一部）
７４…角膜厚さ測定回路
８０…制御回路（制御手段）
８０ａ…アライメント許容範囲設定手段
９０…視標投影光学系
１１５…装置本体
【図１】
0004616453.tif 000002
【図２】
0004616453.tif 000003
【図３】
0004616453.tif 000004
【図４】
0004616453.tif 000005
【図５】
0004616453.tif 000006
【図６】
0004616453.tif 000007
【図７】
0004616453.tif 000008
【図８】
0004616453.tif 000009
【図９】
0004616453.tif 000010
【図１０】
0004616453.tif 000011
【図１１】
0004616453.tif 000012
【図１２】
0004616453.tif 000013
【図１３】
0004616453.tif 000014